(57)【要約】      （修正有）【課題】入浴用肌着を着用していない人、または、身体に手術の傷痕、やけど、アザ等がある人が、温泉等の入浴後に脱衣場で着用し、人目を気にすることなく体表の水分を拭き取ることができる吸水特殊ローブを提供する。【解決手段】温泉等の入浴後に脱衣場で着用し、胸部及び腹部又は背部を被覆する吸水特殊ローブ１０であって、胸部及び腹部を被覆する前身頃１１と背部を被覆する後ろ身頃１２からなり、前身頃１１と後ろ身頃１２を繋ぐ左右上端部１４１、１４２を切り離し、切り離した前身頃１１と後ろ身頃１２の左右上端部１４１、１４２を簡易に切り離し可能な部材（右ホック１７１、左ホック１７２）で再び繋ぎ合せる。【選択図】図１
0003199276.tif 000002
【実用新案登録請求の範囲】
【請求項１】
温泉等の入浴後に脱衣場で着用し、胸部及び腹部又は背部を被覆する吸水特殊ローブであって、胸部及び腹部を被覆する前身頃と背部を被覆する後ろ身頃からなり、前身頃と後ろ身頃を繋ぐ上端部を切り離し、切り離した前身頃と後ろ身頃の上端部を簡易に切り離し可能な部材で再び繋ぎ合せたことを特徴とする吸水特殊ローブ。
【請求項２】
前記吸水特殊ローブは、前記前身頃と後ろ身頃を繋ぐ下端両側にスリットを設けたことを特徴とする請求項１記載の吸水特殊ローブ。
【請求項３】
前記吸水特殊ローブは、袖口を広くしたことを特徴とする請求項１または請求項２記載の吸水特殊ローブ。
【請求項４】
前記吸水特殊ローブは、前記前身頃の前合わせの部分をボタンでとめて開かないようにしたことを特徴とする請求項１乃至請求項３の何れか１項に記載の吸水特殊ローブ。
【請求項５】
前記吸水特殊ローブは、前記前身頃の前合わせの部分を合わせ紐で結び開かないようにしたことを特徴とする請求項１乃至請求項３の何れか１項に記載の吸水特殊ローブ。
【請求項６】
前記吸水特殊ローブは、吸水性の良いタオル地で縫製したことを特徴とする請求項１乃至請求項５の何れか１項に記載の吸水特殊ローブ。
【考案の詳細な説明】
【技術分野】
【０００１】
本考案は、身体に手術の傷痕、やけど、アザ、骨格の変形と皮膚の異常な増殖からなる奇形がある人、肢体に障害又は損傷（切断も含む）を抱えている人、入れ墨の消去跡が分かる人等が、温泉等の入浴後に脱衣場で着用し、人目を気にすることなく体表の水分を拭き取ることができる吸水特殊ローブに関するものである。
【背景技術】
【０００２】
従来、身体に手術の傷痕、やけど、アザ等がある人が、温泉や銭湯に入浴する場合どうしても人目が気になり、思うように行動することが難しい。特に乳癌により乳房を切除した女性の場合、その傷痕を他人に晒されることを嫌うために温泉や銭湯に裸で気軽に入浴することができない問題点があった。その問題を解決するために、その傷痕を隠して入浴できる各種入浴着が知られている（例えば、特許文献１参照）。
【先行技術文献】
【特許文献】
【０００３】
【特許文献１】特開２００１−１８１９０４号公報
【考案の概要】
【考案が解決しようとする課題】
【０００４】
上記の特許文献１に開示された入浴用肌着は、入浴する時に使用するものであるが、温泉や銭湯から上がり、衣服を着用する際には、一旦入浴用肌着を脱がないと、衣服の着用が困難であった。そのため、脱衣所で入浴用肌着を脱ぐ時に他人に手術痕等を見られる恐れがあり、また、小さな子供と一緒に入浴する際、子供に手がかかるため、どうしても自分のことは疎かになりがちである。
【０００５】
本考案は上記のような入浴用肌着を着用していない人、または、身体に手術の傷痕、やけど、アザ等がある人が、温泉等の入浴後に脱衣場で着用し、人目を気にすることなく体表の水分を拭き取ることができる吸水特殊ローブを提供することを目的とするものである。
【課題を解決するための手段】
【０００６】
上記目的を達成するため、請求項１の考案は、温泉等の入浴後に脱衣場で着用し、胸部及び腹部又は背部を被覆する吸水特殊ローブであって、胸部及び腹部を被覆する前身頃と背部を被覆する後ろ身頃からなり、前身頃と後ろ身頃を繋ぐ上端部を切り離し、切り離した前身頃と後ろ身頃の上端部を簡易に切り離し可能な部材で再び繋ぎ合せたことを特徴とするものである。
【０００７】
また、請求項２の考案は、請求項１記載の吸水特殊ローブであって、前身頃と後ろ身頃を繋ぐ下端両側にスリットを設けたことを特徴とするものである。
【０００８】
また、請求項３の考案は、請求項１または請求項２記載の吸水特殊ローブであって、袖口を広くしたことを特徴とするものである。
【０００９】
また、請求項４の考案は、請求項１乃至請求項３の何れか１項に記載の吸水特殊ローブであって、前身頃の前合わせの部分をボタンでとめて開かないようにしたことを特徴とするものである。
【００１０】
また、請求項５の考案は、請求項１乃至請求項３の何れか１項に記載の吸水特殊ローブであって、前身頃の前合わせの部分を合わせ紐で結び開かないようにしたことを特徴とするものである。
【００１１】
また、請求項６の考案は、請求項１乃至請求項５の何れか１項に記載の吸水特殊ローブであって、吸水性の良いタオル地で縫製したことを特徴とするものである。
【考案の効果】
【００１２】
請求項１に係る吸水特殊ローブによれば、温泉等の入浴後に脱衣場で着用し、胸部及び腹部又は背部を被覆する吸水特殊ローブであって、胸部及び腹部を被覆する前身頃と背部を被覆する後ろ身頃からなり、前身頃と後ろ身頃を繋ぐ上端部を切り離し、切り離した前身頃と後ろ身頃の上端部を簡易に切り離し可能な部材で再び繋ぎ合せたので、部材を外してから下に引っ張れば、浴衣または衣服を着たままで吸水特殊ローブを脱ぐことができる。
【００１３】
また、請求項２に係る吸水特殊ローブによれば、前身頃と後ろ身頃を繋ぐ下端両側にスリットを設けたので、歩くときに絡みつくことはない。
【００１４】
また、請求項３に係る吸水特殊ローブによれば、袖口を広くしたので、吸水特殊ローブを羽織ったままで何れかの袖口から下着を差し入れて着用することがより容易にできる。
【００１５】
また、請求項４に係る吸水特殊ローブによれば、前身頃の前合わせの部分をボタンでとめたので、簡単に開かないようにすることができる。
【００１６】
また、請求項５に係る吸水特殊ローブによれば、前身頃の前合わせの部分を合わせ紐で結んだので、簡単に開かないようにすることができる。
【００１７】
また、請求項６に係る吸水特殊ローブによれば、吸水性の良いタオル地で縫製したので、装着したままでも簡単に身体の水分を拭き取ることができる。
【図面の簡単な説明】
【００１８】
【図１】本考案の吸水特殊ローブの第１実施形態の（ａ）正面図、（ｂ）背面図である。
【図２】同第１実施形態の吸水特殊ローブの（ａ）右前身頃を示す正面図、（ｂ）左前身頃を示す正面図である。
【図３】同第１実施形態の吸水特殊ローブの別の（ａ）右前身頃を示す正面図、（ｂ）左前身頃を示す正面図である。
【図４】本考案の吸水特殊ローブの第２実施形態の（ａ）正面図、（ｂ）背面図である。
【図５】同第２実施形態の吸水特殊ローブの（ａ）右前身頃を示す正面図、（ｂ）左前身頃を示す正面図である。
【図６】同第２実施形態の吸水特殊ローブの別の（ａ）右前身頃を示す正面図、（ｂ）左前身頃を示す正面図である。
【図７】本考案の吸水特殊ローブの第３実施形態の（ａ）正面図、（ｂ）背面図である。
【図８】同第３実施形態の吸水特殊ローブの（ａ）右前身頃を示す正面図、（ｂ）左前身頃を示す正面図である。
【図９】同第３実施形態の吸水特殊ローブの別の（ａ）右前身頃を示す正面図、（ｂ）左前身頃を示す正面図である。
【考案を実施するための形態】
【実施例】
【００１９】
以下、本考案の吸水特殊ローブの簡易に切り離し可能な部材をホックで実現した第１実施形態について、図面を参照しながら説明する。図１は、吸水特殊ローブの（ａ）正面図、（ｂ）背面図、図２は、吸水特殊ローブの（ａ）右前身頃を示す正面図、（ｂ）左前身頃を示す正面図、図３は、吸水特殊ローブの別の（ａ）右前身頃を示す正面図、（ｂ）左前身頃を示す正面図である。
【００２０】
図１（ａ）、（ｂ）に示すように、第１実施形態の吸水特殊ローブ１０は、温泉等の入浴後に脱衣場で着用し、胸部及び腹部又は背部を被覆する吸水特殊ローブであって、胸部及び腹部を被覆する前身頃１１と背部を被覆する後ろ身頃１２を備える。前身頃１１は右前身頃１３１、左前身頃１３２からなり、右前身頃１３１と後ろ身頃１２を繋ぐ右上端部１４１及び左前身頃１３２と後ろ身頃１２を繋ぐ左上端部１４２は切り離され、切り離された右前身頃１３１と後ろ身頃１２を繋ぐ右上端部１４１の数箇所を右ホック１７１で止める。同様に切り離された左前身頃１３２と後ろ身頃１２を繋ぐ左上端部１４２の数箇所を左ホック１７２で止める。
【００２１】
また、吸水特殊ローブ１０の前身頃１１と後ろ身頃１２を繋ぐ右下端及び左下端に右スリット１６１及び左スリット１６２を設けたので歩くときに絡みつくことはない。また、右袖口１５１及び左袖口１５２を広くしたので、吸水特殊ローブを羽織ったままで何れかの袖口から下着を差し入れて着用することがより容易にできる。
【００２２】
図１（ａ）は、左前身頃１３２を前にした左前合わせの事例であり、この場合、図２（ａ）、（ｂ）に示すように、右前身頃１３１にボタン１８１、左前身頃１３２にボタン穴１８２を設け、前合わせの部分をボタン１８１でとめて開かないようになっている。また、図３（ａ）、（ｂ）に示すように、ボタン１８１、ボタン穴１８２の代わりに合わせ紐１９１で結ぶようにしてもよい。
【００２３】
また、図示はしてないが、右前身頃１３１を前にした右前合わせの場合は、図２（ａ）、（ｂ）に示すように、左前身頃１３２にボタン１８３、右前身頃１３１にボタン穴１８４を設け、前合わせの部分をボタン１８３で止めて開かないようにする。また、図３（ａ）、（ｂ）に示すように、ボタン１８３、ボタン穴１８４の代わりに合わせ紐１９２で結ぶようにしてもよい。
【００２４】
第１実施形態の吸水特殊ローブ１０の使用方法について説明する。吸水特殊ローブ１０は、予め右前身頃１３１と後ろ身頃１２を繋ぐ右上端部１４１の数箇所を右ホック１７１で止め、左前身頃１３２と後ろ身頃１２を繋ぐ左上端部１４２の数箇所を左ホック１７２で止めておく。
【００２５】
風呂から出て脱衣場で身体を拭う時、先ず吸水特殊ローブ１０を肌に直接羽織って吸水し、左前身頃１３２を前にした左前合わせの場合、前合わせの部分をボタン１８１、ボタン穴１８２で止めて、前合わせの部分が開かないようにする。また、ボタン１８１、ボタン穴１８２の代わりに合わせ紐１９１で結ぶようにしてもよい。右前身頃１３１を前にした右前合わせの場合は、前合わせの部分をボタン１８３で止めて開かないようにする。また、ボタン１８３、ボタン穴１８４の代わりに合わせ紐１９２で結ぶようにしてもよい。吸水特殊ローブ１０で身体の水分を拭き取ってから、下着を右袖口１５１または左袖口１５２から差し入れて着用する事もできる。その後下着を整えて吸水特殊ローブ１０の上から浴衣または衣服を着用し、右ホック１７１、左ホック１７２を外してから下に引っ張れば、浴衣または衣服を着たままで吸水特殊ローブ１０を脱ぐことができる。浴衣または衣服を着用する前に、吸水特殊ローブ１０を脱ぐ場合もある。
【００２６】
次に、本考案の吸水特殊ローブの簡易に切り離し可能な部材を面ファスナーで実現した第２実施形態について、図面を参照しながら説明する。図４は、吸水特殊ローブの（ａ）正面図、（ｂ）背面図、図５は、吸水特殊ローブの（ａ）右前身頃を示す正面図、（ｂ）左前身頃を示す正面図、図６は、吸水特殊ローブの別の（ａ）右前身頃を示す正面図、（ｂ）左前身頃を示す正面図である。
【００２７】
図４（ａ）、（ｂ）に示すように、第２実施形態の吸水特殊ローブ２０は、温泉等の入浴後に脱衣場で着用し、胸部及び腹部又は背部を被覆する吸水特殊ローブであって、胸部及び腹部被覆する前身頃２１と背部を被覆する後ろ身頃２２を備える。前身頃２１は右前身頃２３１、左前身頃２３２からなり、右前身頃２３１と後ろ身頃２２を繋ぐ右上端部２４１及び左前身頃２３２と後ろ身頃２２を繋ぐ左上端部２４２は切り離され、切り離された右前身頃２３１と後ろ身頃２２を繋ぐ右上端部２４１の数箇所を右面ファスナー２７１で止める。同様に切り離された左前身頃２３２と後ろ身頃２２を繋ぐ左上端部２４２の数箇所を左面ファスナー２７２で止める。
【００２８】
また、吸水特殊ローブ２０の前身頃２１と後ろ身頃２２を繋ぐ右下端及び左下端に右スリット２６１及び左スリット２６２を設けたので歩くときに絡みつくことはない。また、右袖口２５１及び左袖口２５２を広くしたので、吸水特殊ローブを羽織ったままで何れかの袖口から下着を差し入れて着用することがより容易にできる。
【００２９】
図５（ａ）は、左前身頃２３２を前にした左前合わせの事例であり、この場合、図５（ａ）、（ｂ）に示すように、右前身頃２３１にボタン２８１、左前身頃２３２にボタン穴２８２を設け、前合わせの部分をボタン２８１でとめて開かないようになっている。また、図６（ａ）、（ｂ）に示すように、ボタン２８１、ボタン穴２８２の代わりに合わせ紐２９１で結ぶようにしてもよい。
【００３０】
また、図示はしてないが、右前身頃２３１を前にした右前合わせの場合は、図５（ａ）、（ｂ）に示すように、左前身頃２３２にボタン２８３、右前身頃２３１にボタン穴２８４を設け、前合わせの部分をボタン２８３で止めて開かないようにする。また、図６（ａ）、（ｂ）に示すように、ボタン２８３、ボタン穴２８４の代わりに合わせ紐２９２で結ぶようにしてもよい。
【００３１】
第２実施形態の吸水特殊ローブ２０の使用方法について説明する。吸水特殊ローブ２０は、予め右前身頃２３１と後ろ身頃２２を繋ぐ右上端部２４１の数箇所を右面ファスナー２７１で止め、左前身頃２３２と後ろ身頃２２を繋ぐ左上端部２４２の数箇所を左面ファスナー２７２で止めておく。
【００３２】
風呂から出て脱衣場で身体を拭う時、先ず吸水特殊ローブ２０を肌に直接羽織って吸水し、左前身頃２３２を前にした左前合わせの場合、前合わせの部分をボタン２８１、ボタン穴２８２で止めて、前合わせの部分が開かないようにする。また、ボタン２８１、ボタン穴２８２の代わりに合わせ紐２９１で結ぶようにしてもよい。右前身頃２３１を前にした右前合わせの場合は、前合わせの部分をボタン２８３で止めて開かないようにする。また、ボタン２８３、ボタン穴２８４の代わりに合わせ紐２９２で結ぶようにしてもよい。吸水特殊ローブ２０で身体の水分を拭き取ってから、下着を右袖口２５１または左袖口２５２から差し入れて着用する事もできる。その後下着を整えて吸水特殊ローブ２０の上から浴衣または衣服を着用し、右面ファスナー２７１、左面ファスナー２７２を外してから下に引っ張れば、浴衣または衣服を着たままで吸水特殊ローブ２０を脱ぐことができる。浴衣または衣服を着用する前に、吸水特殊ローブ２０を脱ぐ場合もある。
【００３３】
次に、本考案の吸水特殊ローブの簡易に切り離し可能な部材を肩紐で実現した第３実施形態について、図面を参照しながら説明する。図７は、吸水特殊ローブの（ａ）正面図、（ｂ）背面図、図８は、吸水特殊ローブの（ａ）右前身頃を示す正面図、（ｂ）左前身頃を示す正面図、図９は、吸水特殊ローブの別の（ａ）右前身頃を示す正面図、（ｂ）左前身頃を示す正面図である。
【００３４】
図７（ａ）、（ｂ）に示すように、第３実施形態の吸水特殊ローブ３０は、温泉等の入浴後に脱衣場で着用し、入浴時に胸部及び腹部被覆する前身頃３１と背部を被覆する後ろ身頃３２を備える。前身頃３１は右前身頃３３１、左前身頃３３２からなり、右前身頃３３１と後ろ身頃３２を繋ぐ右上端部３４１及び左前身頃３３２と後ろ身頃３２を繋ぐ左上端部３４２は切り離され、切り離された右前身頃３３１と後ろ身頃３２を繋ぐ右上端部３４１の数箇所を右肩紐３７１で止める。同様に切り離された左前身頃３３２と後ろ身頃３２を繋ぐ左上端部３４２の数箇所を左肩紐３７２で止める。
【００３５】
また、吸水特殊ローブ３０の前身頃３１と後ろ身頃３２を繋ぐ右下端及び左下端に右スリット３６１及び左スリット３６２を設けたので歩くときに絡みつくことはない。また、右袖口３５１及び左袖口３５２を広くしたので、吸水特殊ローブを羽織ったままで何れかの袖口から下着を差し入れて着用することがより容易にできる。
【００３６】
図７（ａ）は、左前身頃３３２を前にした左前合わせの事例であり、この場合、図８（ａ）、（ｂ）に示すように、右前身頃３３１にボタン３８１、左前身頃３３２にボタン穴３８２を設け、前合わせの部分をボタン３８１でとめて開かないようになっている。また、図９（ａ）、（ｂ）に示すように、ボタン３８１、ボタン穴３８２の代わりに合わせ紐３９１で結ぶようにしてもよい。
【００３７】
また、図示はしてないが、右前身頃３３１を前にした右前合わせの場合は、図８（ａ）、（ｂ）に示すように、左前身頃３３２にボタン３８３、右前身頃３３１にボタン穴３８４を設け、前合わせの部分をボタン３８３で止めて開かないようにする。また、図９（ａ）、（ｂ）に示すように、ボタン３８３、ボタン穴３８４の代わりに合わせ紐３９２で結ぶようにしてもよい。
【００３８】
第３実施形態の吸水特殊ローブ３０の使用方法について説明する。吸水特殊ローブ３０は、予め右前身頃３３１と後ろ身頃３２を繋ぐ右上端部３４１の数箇所を右肩紐３７１で止め、左前身頃３３２と後ろ身頃３２を繋ぐ左上端部３４２の数箇所を左肩紐３７２で止めておく。
【００３９】
風呂から出て脱衣場で身体を拭う時、先ず吸水特殊ローブ３０を肌に直接羽織って吸水し、左前身頃３３２を前にした左前合わせの場合、前合わせの部分をボタン３８１、ボタン穴３８２で止めて、前合わせの部分が開かないようにする。また、ボタン３８１、ボタン穴３８２の代わりに合わせ紐３９１で結ぶようにしてもよい。右前身頃３３１を前にした右前合わせの場合は、前合わせの部分をボタン３８３で止めて開かないようにする。また、ボタン３８３、ボタン穴３８４の代わりに合わせ紐３９２で結ぶようにしてもよい。吸水特殊ローブ３０で身体の水分を拭き取ってから、下着を右袖口３５１または左袖口３５２から差し入れて着用する事もできる。その後下着を整えて吸水特殊ローブ３０の上から浴衣または衣服を着用し、右肩紐３７１、左肩紐３７２を解いてから下に引っ張れば、浴衣または衣服を着たままで吸水特殊ローブ３０を脱ぐことができる。浴衣または衣服を着用する前に、吸水特殊ローブ３０を脱ぐ場合もある。
【００４０】
これらの吸水特殊ローブ１０、２０、３０は、吸水性の良いタオル地で縫製したので、装着したままでも簡単に身体の水分を拭き取ることができる。
【００４１】
以上説明したように、本考案に係る吸水特殊ローブによれば、胸部及び腹部を被覆する前身頃と背部を被覆する後ろ身頃を繋ぐ上端部を簡易に切り離し可能な部材で止めたので、部材を外してから下に引っ張れば、浴衣または衣服を着たままで吸水特殊ローブを脱ぐことができ、身体に手術の傷痕、やけど、アザ等がある人が、温泉等の入浴後に、人目を気にすることなく体表の水分を拭き取ることができる。
【符号の説明】
【００４２】
１０、２０、３０  吸水特殊ローブ
１１、２１、３１  前身頃
１２、２２、３２  後ろ身頃
１３１、２３１、３３１  右前身頃、
１３２、２３２、３３２  左前身頃
１４１、２４１、３４１  右上端部
１４２、２４２、３４２  左上端部
１５１、２５１、３５１  右袖口
１５２、２５２、３５２  左袖口
１６１、２６１、３６１  右スリット
１６２、２６２、３６２  左スリット
１７１  右ホック（簡易に切り離し可能な部材）
１７２  左ホック（簡易に切り離し可能な部材）
２７１  右面ファスナー（簡易に切り離し可能な部材）
２７２  左面ファスナー（簡易に切り離し可能な部材）
３７１  右肩紐（簡易に切り離し可能な部材）
３７２  左肩紐（簡易に切り離し可能な部材）
１８１、２８１、３８１  ボタン
１８３、２８３、３８３  ボタン
１８２、２８２、３８２  ボタン穴
１８４、２８４、３８４  ボタン穴
１９１、２９１、３９１  合わせ紐
１９２、２９２、３９２  合わせ紐
【図１】
0003199276.tif 000003
【図２】
0003199276.tif 000004
【図３】
0003199276.tif 000005
【図４】
0003199276.tif 000006
【図５】
0003199276.tif 000007
【図６】
0003199276.tif 000008
【図７】
0003199276.tif 000009
【図８】
0003199276.tif 000010
【図９】
0003199276.tif 000011